(57)【要約】【課題】  キャップの鞘が簡単ですっきりした構造になり、また、キャップを筆記具本体の尾端部に嵌合して筆記するときに、がたつきがなくてしっかりと嵌合する筆記具用キャップの製造方法を提供する。【解決手段】、鞘の合口側内周面にねじ部が形成され、このねじ部の尾端側に、筆記時にキャップを筆記具本体の尾端部に嵌合するときに、筆記具本体の外周面に多角形状に外接する複数個の嵌合平面が鞘の内周面から突出して形成された合成樹脂製の筆記具用キャップの製造方法において、成形金型は、鞘の外形を成形する外型、嵌合平面を含む鞘の内形を成形するコアピン、ねじ部を成形するネジスリーブを含み、溶融樹脂が凝固した後に、先ず、ネジスリーブを回転して離型し、次にコアピンを鞘から引き抜いて離型する。また、嵌合平面を筆記具本体の外周面に多角形状に外接する嵌合面から更に尾端側に延長する。【選択図】  図１
2008094004.tif 000002
【特許請求の範囲】
【請求項１】
鞘の合口側内周面に筆記具本体に螺着するねじ部が形成され、該ねじ部の尾端側に、筆記時にキャップを筆記具本体の尾端部に嵌合するときに、筆記具本体の外周面に多角形状に外接する複数個の嵌合平面が鞘の内周面から突出して形成された合成樹脂製の筆記具用キャップの製造方法であって、
成形金型は、鞘の外形を成形する外型、該嵌合平面を含む鞘の内形を成形するコアピン、ねじ部を成形するネジスリーブを含み、これらの金型で形成されるキャビティに注入された溶融樹脂が凝固した後に、先ず、ネジスリーブを回転して断面形状が異形の嵌合平面形成部分がコアピンに食いついて回転不能の鞘から離型し、次にコアピンを鞘から引き抜いて離型することを特徴とする筆記具用キャップの製造方法。
【請求項２】
前記嵌合平面は、筆記時にキャップを筆記具本体の尾端部に嵌合するときに、筆記具本体の外周面に多角形状に外接する嵌合面から更に尾端側に延長されたことを特徴とする請求項１記載の筆記具用キャップの製造方法。
【発明の詳細な説明】
【技術分野】
【０００１】
本発明は、鞘の合口側内周面に筆記具本体に螺着するねじ部が形成された合成樹脂製の筆記具用キャップの製造方法に関する。
【背景技術】
【０００２】
筆記具のキャップを筆記具本体に装着するとき、その固定構造は、キャップの鞘の内周面に形成された突起が筆記具本体の外周面に形成された環状突起を乗り越えて係合するようにしたものが多い。かかる固定構造は操作が簡単な利点があるが、重厚さにやや欠けるので、高級な万年筆などにおいては、鞘の合口側内周面にねじ部を形成し、筆記具本体の外周面に形成された外向きねじ部に螺着するものが多い。
【発明の開示】
【発明が解決しようとする課題】
【０００３】
合成樹脂製のキャップの鞘にねじ部を形成するためには、ねじ溝が形成されたネジスリーブを回転しながらワークである鞘から離型するが、このとき鞘が回転しないようにする必要がある。このため例えば、鞘内の空間に筆記具本体に装着したときに干渉しない縦リブを形成し、この縦リブにより鞘の内形を形成するコアピンに対して回転しないようにすることがある。しかし、この縦リブは、キャップ成形後はキャップの部分としては機能しないものであり、このような縦リブを設けない方が鞘の構造が簡単ですっきりしたものになる。
【０００４】
また、万年筆のキャップのように比較的重量の大きなものは、筆記時のバランスをよくするために、キャップを筆記具本体の尾端部に嵌合して筆記することが多いが、筆記具本体尾端部のややテーパー状をした外周面にキャップの鞘の内周面を嵌合するとき、これらの真円度が十分てないときは筆記具本体に対する食いつきが不完全となり、がたつきが生じることがある。
【０００５】
そこで本発明は、成形後はキャップの部分としては機能しない回転止めの縦リブなどを形成する必要がなくて簡単ですっきりした構造になり、また、キャップを筆記具本体の尾端部に嵌合して筆記するときに、がたつきがなくてしっかりと嵌合する筆記具用キャップの製造方法を提供することを目的とする。
【課題を解決するための手段】
【０００６】
かかる目的を達成するために、請求項１の発明は、鞘の合口側内周面に筆記具本体に螺着するねじ部が形成され、このねじ部の尾端側に、筆記時にキャップを筆記具本体の尾端部に嵌合するときに、筆記具本体の外周面に多角形状に外接する複数個の嵌合平面が鞘の内周面から突出して形成された合成樹脂製の筆記具用キャップの製造方法において、成形金型は、鞘の外形を成形する外型、該嵌合平面を含む鞘の内形を成形するコアピン、ねじ部を成形するネジスリーブを含み、これらの金型で形成されるキャビティに注入された溶融樹脂が凝固した後に、先ず、ネジスリーブを回転して断面形状が異形の嵌合平面形成部分がコアピンに食いついて回転不能の鞘から離型し、次にコアピンを鞘から引き抜いて離型する。
また、請求項２の発明は、請求項１の発明において、嵌合平面を、筆記時にキャップを筆記具本体の尾端部に嵌合するときに、筆記具本体の外周面に多角形状に外接する嵌合面から更に尾端側に延長する。
【発明の効果】
【０００７】
筆記具本体の外周面に多角形状に外接する複数個の嵌合平面を鞘の内周面から突出して形成するので、筆記時にキャップを筆記具本体の尾端部に嵌合するときに複数箇所において点接触するので、筆記具本体の外周面や鞘の内周面の真円度が十分でなくてもしっかりと嵌合することができる。そして、嵌合平面が形成された鞘の内面は円形ではなく略多角形状の異形になるので、合成樹脂で成形するとき、鞘はその内面を成形するコアピンに対して回転不能になるので、成形後はキャップの部分としては機能しない回転止めの縦リブなどを形成することなく、ねじ部を成形するネジスリーブを回転しながら離型することができる。
また、請求項２のように、嵌合平面を筆記具本体の外周面に多角形状に外接する嵌合面から更に尾端側に延長すると、嵌合平面が形成された異形部分が長くなり、コアピンに対する食いつき量が大きくなって回り止めをより確実にすることができる。
【発明を実施するための最良の形態】
【０００８】
以下に図面に基づいて発明を実施するための最良の形態を説明する。図１において、キャップの鞘１は、合成樹脂にて円筒状に成形されたものであり、その尾端には尾冠２が固着されている。鞘１の合口側内周面にねじ部４が形成されている。このねじ部４の尾端側に、複数個、例えば８個の嵌合平面３が等間隔に形成されている。この嵌合平面３が形成された部分の断面は、図１（Ｂ）に示すように、正８角形の角の部分が鞘１の内周面の円弧で繋がれた形状をしている。つまり、この部分の断面形状は円形ではなく、略正８角形の異形をしており、嵌合平面３は鞘１の内周面から内側に突出している。嵌合平面３の前部は、筆記時にキャップを筆記具本体の尾端部に嵌合するときに、筆記具本体の尾端部に嵌合する嵌合面３ａであり、後部は筆記具本体の尾端部に嵌合しない延長部３ｂである。なお、鞘１内には、前記の成形後はキャップの部分としては機能しない回転止め用の縦リブなどは形成されておらず、簡単ですっきりした構造になっている。
【０００９】
筆記具本体は例えば万年筆であり、図２に示すように、尾端側がややテーパー状をした有底筒状の軸筒１０の先端に大先１２が螺着され、大先１２の先端からペン芯１４に重ね合わされたペン先１３が突出しており、軸筒１０内のインキ筒のインキがペン芯１４を介してペン先１３に供給され、筆記に供される。そして、軸筒１０の先端外周面に外向きねじ部１１が形成されている。
【００１０】
図２（Ａ）は非筆記時にキャップの鞘１を筆記具本体に装着してペン先１３を被った状態を示すが、図３に示すように、鞘１のねじ部４が軸筒１０の外向きねじ部１１に螺着してキャップが筆記具本体に着脱可能に固着されている。このとき、嵌合平面３は大先１２の外側に位置し、大先１２とは干渉しない。次に図２（Ｂ）は筆記時にキャップの鞘１を軸筒１０の尾端側のテーパー部１０ａに嵌合した状態を示すが、図４に示すように、嵌合平面３の嵌合面３ａが軸筒１０のテーパー部１０ａに嵌合しているが、前記のとおり、嵌合平面３が８個形成されているので、軸筒１０のテーパー部１０ａと鞘１は円接触ではなく、８点の点接触により嵌合しており、したがって、軸筒１０の外周面や鞘１の内周面の真円度が少々不十分であっても、鞘１が軸筒１０にしっかりと食いついて確実に嵌合できる。なお、嵌合平面３の延長部３ｂは軸筒１０のテーパー部１０ａに嵌合していない。
【００１１】
図５は鞘１を成形するための金型構造を示すが、金型は、ワークである鞘１の外形を成形する外型Ｍ、鞘１の嵌合平面３を含む内形を整形するコアピンＣ、鞘１のねじ部３を成形するネジスリーブＳ、及びその他の補助金型からなる。コアピンＣの嵌合平面３を成形する部分の外形は図１（Ｂ）に示す鞘１の内形に等しい形状をしている。また、ネジスリーブＳの先端外周にはねじ部４を成形するためのねじ溝Ｓａが形成されている。これらの金型で形成されるキャビティに注入口Ｍａから溶融樹脂を注入し、凝固した後に、ネジスリーブＳを左回転させる。このとき、異形をした嵌合平面３の部分が同じく異形をしたコアピンＣにより形成されているのでワークである鞘１は回転しない。ことに、嵌合平面３に延長部３ｂを設けているので、嵌合平面３の軸線方向が長くなり、ワークである鞘１のコアピンＣに対する食いつき量が多くなり、確実に回転止めすることができる。したがって、ネジスリーブＳは容易に鞘１から離型することができる。次いでコアピンＣを鞘１から抜いて離型し、鞘１を外型Ｍから脱型すると完成する。
【図面の簡単な説明】
【００１２】
【図１】（Ａ）は鞘の縦断面図、（Ｂ）は横断面図である。
【図２】（Ａ）は非筆記時の状態を示す図、（Ｂ）は筆記時の状態を示す図である。
【図３】図２（Ａ）の要部の断面図である。
【図４】図２（Ｂ）の要部の断面図である。
【図５】成形金型の説明図である
【符号の説明】
【００１３】
１      鞘
２      尾冠
３      嵌合平面
４      ねじ部
１０      軸筒
１１      外向きねじ部
１２      大先
１３      ペン先
１４      ペン芯
Ｍ      外型
Ｃ      コアピン
Ｓ      ネジスリーブ
【図１】
2008094004.tif 000003
【図２】
2008094004.tif 000004
【図３】
2008094004.tif 000005
【図４】
2008094004.tif 000006
【図５】
2008094004.tif 000007